(57)【要約】【課題】電子デバイスを提供すること。【解決手段】電子デバイスは、マルチプレクサ（ＭＵＸ）、スイッチングアレイ、及び論理回路を含む。ＭＵＸは、複数の入力ポート及び出力ポートを含み、入力ポートを介して複数の入力信号を受信し、出力ポートを介して、入力信号のうちの選択された信号を出力するように構成されている。スイッチングアレイは、ＭＵＸの入力ポートに結合され、入力信号を受信し、各入力信号とそれぞれの入力ポートとの間を接続又は切断するように構成されている。論理回路は、スイッチングアレイ及びＭＵＸに電気的に結合されており、ＭＵＸが出力している少なくとも選択された信号と接続し、少なくとも選択された信号以外の全ての入力信号を切断するようにスイッチングアレイを制御するように構成されている。【選択図】図１
2020005255.tif 000002
【特許請求の範囲】
【請求項１】
複数の入力ポート及び出力ポートを備え、前記入力ポートを介して複数の入力信号を受信し、前記出力ポートを介して、前記入力信号のうちの選択された信号を出力するように構成されている、マルチプレクサ（ＭＵＸ）と、
前記ＭＵＸの前記入力ポートに結合され、前記入力信号を受信し、各入力信号とそれぞれの入力ポートとの間を接続又は切断するように構成されている、スイッチングアレイと、
前記スイッチングアレイ及び前記ＭＵＸに電気的に結合されており、前記ＭＵＸが出力している少なくとも前記選択された信号を接続し、前記少なくとも選択された信号以外の全ての前記入力信号を切断するように前記スイッチングアレイを制御するように構成されている、論理回路と、
を備える、電子デバイス。
【請求項２】
前記スイッチングアレイは、複数のそれぞれの電気リード線を介して前記複数の入力信号を受信するように構成されており、前記電気リード線のそれぞれは、前記ＭＵＸに接続されたときにそれぞれの寄生容量に寄与し、前記論理回路は、前記少なくとも選択された信号以外の前記入力信号を切断することによって、前記ＭＵＸにおける総寄生容量を低減するように構成されている、請求項１に記載の電子デバイス。
【請求項３】
前記電子デバイスは、特定用途向けＩＣ（ＡＳＩＣ）又はフィールドプログラマブルゲートアレイ（ＦＰＧＡ）を備える、請求項１に記載の電子デバイス。
【請求項４】
前記入力信号のそれぞれは、心電図（ＥＣＧ）信号、電位図（ＥＧＭ）信号、及び位置信号からなるリストから選択される信号を含む、請求項１に記載の電子デバイス。
【請求項５】
前記入力信号はアナログ信号を含み、前記ＭＵＸは、少なくとも前記選択された信号をアナログ・デジタル変換器に出力するように構成されている、請求項１に記載の電子デバイス。
【請求項６】
前記論理回路は、前記複数の入力信号のうちのどれを前記ＭＵＸが所与の時間に選択するかを制御するように構成されている、請求項１に記載の電子デバイス。
【請求項７】
（ｉ）複数の入力信号を受信するための複数の入力ポート及び前記入力信号のうちの選択された信号を出力するための出力ポートを備えるマルチプレクサ（ＭＵＸ）と、（ｉｉ）前記ＭＵＸの前記入力ポートに結合されたスイッチングアレイと、を備える電子デバイスにおいて、
前記入力ポートのうちのそれぞれ１つ以上に少なくとも前記選択された信号を接続し、前記少なくとも選択された信号以外の全ての前記入力信号を切断するように前記スイッチングアレイを制御することと、
前記それぞれの入力ポートを介して少なくとも前記選択された信号を受信し、前記出力ポートを介して前記選択された信号を出力することと、
を含む、方法。
【請求項８】
前記スイッチングアレイを制御することは、複数のそれぞれの電気リード線を介して前記複数の入力信号を受信することを含み、前記電気リード線のそれぞれは、前記ＭＵＸに接続されたときにそれぞれの寄生容量に寄与し、前記少なくとも選択された信号以外の全ての前記入力信号を切断することは、前記ＭＵＸにおける総寄生容量を低減することを含む、請求項７に記載の方法。
【請求項９】
前記入力信号のそれぞれは、心電図（ＥＣＧ）信号、電位図（ＥＧＭ）信号、及び位置信号からなるリストから選択される信号を含む、請求項７に記載の方法。
【請求項１０】
前記入力信号はアナログ信号を含み、前記選択された信号を出力することは、前記選択された信号をアナログ・デジタル変換器に出力することを含む、請求項７に記載の方法。
【請求項１１】
前記スイッチングアレイを制御することは、前記複数の入力信号のうちのどれを前記ＭＵＸが所与の時間に選択するかを制御することを含む、請求項７に記載の方法。
【発明の詳細な説明】
【技術分野】
【０００１】
本発明は、一般に、医療システム、特に、医療システムにおける信号品質を改善するための方法及びシステムに関する。
【背景技術】
【０００２】
いくつかの医療システムは、複数の電気リード線を使用して多数の電気信号を感知及び経路指定する。
【０００３】
例えば、米国特許出願公開第２００３／０１３５１２７号は、モニタリングされる個人によって装着される改善されたモニタリング衣料品を用いる生理学的モニタリング装置を記載しており、この衣料品には、肺機能を反映するパラメータ、又は心臓機能を反映するパラメータをモニタリングするためのセンサが取り付けられている。モニタリング装置はまた、センサからデータを受信し、コンピュータ可読媒体にデータを記憶させるためのユニットを含む。
【０００４】
米国特許出願公開第２００３／００８３５８４号は、複数のＥＣＧ電極のうちの１つ以上が患者に適切に固定されていないことを表示するためのＥＣＧ装置の「リードオフインジケータ」と、それによって従来の高周波駆動信号の必要性を排除され、その代わりに、ＥＣＧベクトルを画定する電極のうちの１つが適切に固定されていないように、共通モード入力ノイズを基準電極への駆動信号として用いることとを記載している。ＥＣＧシステムが右脚電極を基準として利用しないときに、損失電極の識別を可能にする信号を発生させるためのインピーダンス平衡回路が提供される。
【発明の概要】
【課題を解決するための手段】
【０００５】
本明細書に記載の本発明の一実施形態は、マルチプレクサ（ＭＵＸ）、スイッチングアレイ及び論理回路を含む電子デバイスを提供する。ＭＵＸは、複数の入力ポート及び出力ポートを含み、入力ポートを介して複数の入力信号を受信し、出力ポートを介して、入力信号のうちの選択された信号を出力するように構成されている。スイッチングアレイは、ＭＵＸの入力ポートに結合され、入力信号を受信し、各入力信号とそれぞれの入力ポートとの間を接続又は切断するように構成されている。論理回路は、スイッチングアレイ及びＭＵＸに電気的に結合されており、ＭＵＸが出力している少なくとも選択された信号と接続し、少なくとも選択された信号以外の全ての入力信号を切断するようにスイッチングアレイを制御するように構成されている。
【０００６】
いくつかの実施形態では、スイッチングアレイは、複数のそれぞれの電気リード線を介して複数の入力信号を受信するように構成されており、電気リード線の各々は、ＭＵＸに接続されたときにそれぞれの寄生容量に寄与し、論理回路は、少なくとも選択された信号以外の入力信号を切断することによって、ＭＵＸにおける総寄生容量を低減するように構成されている。他の実施形態では、電子デバイスは、特定用途向けＩＣ（ＡＳＩＣ）又はフィールドプログラマブルゲートアレイ（ＦＰＧＡ）を含む。更に他の実施形態では、入力信号の各々は、心電図（ＥＣＧ）信号、電位図（ＥＧＭ）信号、及び位置信号からなるリストから選択される信号を含む。
【０００７】
一実施形態では、入力信号はアナログ信号を含み、ＭＵＸは、少なくとも選択された信号をアナログ・デジタル変換器に出力するように構成されている。別の実施形態では、論理回路は、複数の入力信号のうちのどれをＭＵＸが所与の時間に選択するかを制御するように構成されている。
【０００８】
本発明の一実施形態によれば、（ｉ）複数の入力信号を受信するための複数の入力ポート及び入力信号のうちの選択された信号を出力するための出力ポートを備えるマルチプレクサ（ＭＵＸ）と、（ｉｉ）ＭＵＸの入力ポートに結合されたスイッチングアレイと、を備える電子デバイスにおいて、入力ポートのうちのそれぞれ１つ以上に少なくとも選択された信号を接続し、少なくとも選択された信号以外の全ての入力信号を切断するようにスイッチングアレイを制御すること、を含む方法が更に提供される。少なくとも選択された信号は、それぞれの入力ポートを介して受信され、選択された信号は、出力ポートを介して出力される。
【０００９】
本発明は、以下の「発明を実施するための形態」を図面と併せて考慮すると、より完全に理解されよう。
【図面の簡単な説明】
【００１０】
【図１】本発明の一実施形態による、患者の組織を切除するためのシステムを絵で表した概略図である。
【図２】本発明の一実施形態による集積回路（ＩＣ）を概略的に示すブロック図である。
【発明を実施するための形態】
【００１１】
概論
以下に記載される本発明の実施形態は、例えば、アナログ・デジタル（Ａ／Ｄ）変換器によって信号をサンプリングするために、複数の信号を多重化するための改良された技術を提供する。
【００１２】
いくつかの実施形態では、電気生理学システムなどの医療システムは、典型的には、多数（例えば、１００本）の長い電気リード線にわたって多数のアナログ信号を取得し、経路指定する。いくつかの実施形態では、システムは、複数の入力ポート及び出力ポートを有するマルチプレクサ（ＭＵＸ）を含む、特定用途向けＩＣ（ＡＳＩＣ）などの集積回路（ＩＣ）デバイスを備える。
【００１３】
いくつかの実施形態では、ＭＵＸは、入力ポートを介して、電気生理学システムの様々なセンサによって取得された複数の入力信号を受信し、出力ポートを介して、入力信号うちの選択された信号を出力するように構成されている。センサは、典型的には、長い電気リード線を介してＡＳＩＣに結合されている。いくつかの実施形態では、ＭＵＸによって選択された信号は、サンプリングされ、Ａ／Ｄ変換器によってデジタル信号に変換され、デジタル信号は、システムのプロセッサによって処理される。
【００１４】
システムの各電気リード線は、数ピコファラッド（ｐＦ）のオーダーの寄生容量を有し得る。上述の１００本のリード線は、全体的な静電容量を２桁ずつ増加させる。一部の場合には、選択された信号は、ＭＵＸの入力ポートに接続された多数のリード線によって引き起こされる大きな寄生容量によって歪んでいる。信号歪みは、典型的には、処理された信号の品質及び信頼性（ＱＲ）、並びに電気生理学システムの性能全体を低下させる。
【００１５】
１つの信号のみが、任意の所与の時間にＭＵＸによって実際に選択されることを前提として、開示された技術は、選択された信号以外の全ての入力信号を切断することによって寄生容量を低減する。
【００１６】
いくつかの実施形態では、ＡＳＩＣは、ＭＵＸの入力ポート及び電気リード線に電気的に結合されたスイッチングアレイを備える。スイッチングアレイは、電気リード線を介して入力信号を受信し、各入力信号とそれぞれの入力ポートとの間を接続又は切断するように構成されている。
【００１７】
いくつかの実施形態では、ＡＳＩＣは、スイッチングアレイ及びＭＵＸに電気的に結合される論理回路を更に含む。論理回路は、ＭＵＸが出力している少なくとも選択された信号を接続し、他の全ての入力信号を切断するようにスイッチングアレイを制御するように構成されている。その結果、いくつかの実施形態では、ＭＵＸによって現在選択されている信号を伝達する単一の電気リード線のみが、任意の所与の時間にＭＵＸに接続される。この技術は、ＭＵＸ入力における望ましくない寄生容量のレベルを低減し、したがって、ＭＵＸ出力における選択された信号の歪みを低減する。
【００１８】
システムの説明
図１は、本発明の一実施形態による、患者１４の組織を切除するための多重化医療システム１０の、絵で表した概略図である。図１（ならびに以下の図２）に示されるシステム１０の目的は、多重化技術の実施形態を実証することである。開示される実施形態は、複数の信号が単一の出力へと多重化される任意の他のシステムに等しく適用可能である。
【００１９】
いくつかの実施形態では、システム１０は、以下に詳述されるように、患者１４の心臓４０をマッピングするための、切除の前のマッピングの構築と、構築されたマッピングを使用する、切除処置中の心臓４０内の医療器具の誘導と、を支援する。
【００２０】
いくつかの実施形態では、システム１０は、１つ以上の切除電極、１つ以上の磁気位置センサ、及びインピーダンスセンサなどの複数のデバイス（図示せず）を含む遠位先端１３を含むカテーテル１２を含む。この構成では、遠位先端１３を有するカテーテル１２は、以下に記載されるように、較正プローブとして使用される。マッピング段階中（並びに切除処置中）、医師１６は、挿入点３０を介してカテーテル１２を患者１４の脈管系に挿入することができ、次いでカテーテル先端を患者の心臓に誘導することができる。次いで、カテーテル１２は、組織を切除する前に心臓４０の組織をマッピングするために使用される。
【００２１】
いくつかの実施形態では、操作コンソール１８は、心臓４０の組織上にカテーテル１２によって印加されるラジオ波（ＲＦ）切除信号を生成するように構成されたＲＦ発生器２２を含む。
【００２２】
いくつかの実施形態では、コンソール１８は、カテーテル１２からの信号を受信するのに好適でありかつ本明細書に記載のシステム１０の他の構成要素を制御するのに好適である、フロントエンド及びインターフェース回路を有する、典型的には汎用コンピュータであるプロセッサ２０を含む。プロセッサ２０は、システムによって使用される機能を実行するようにソフトウェアにプログラムされてもよく、プロセッサはソフトウェアのためのデータをメモリ（図示せず）に記憶する。このソフトウェアは、例えば、ネットワークを介して電子的形態でコンソール１８にダウンロードされてもよく、又は光学的記憶媒体、磁気的記憶媒体、若しくは電子的記憶媒体などの、非一時的有形媒体上で提供されてもよい。あるいは、プロセッサ２０の機能の一部又は全ては、専用の構成要素又はプログラマブルデジタルハードウェア構成要素によって実行されてもよい。
【００２３】
いくつかの実施形態では、システム１０は、磁気位置追跡システムと、インピーダンスに基づく有効現在位置（ＡＣＬ）システムと、を更に含む。これらのシステムのそれぞれは、患者１４の心臓４０内の切除場所にカテーテル１２を誘導するために、遠位先端１３の位置を追跡するために使用することができる。
【００２４】
いくつかの実施形態では、磁気位置追跡システムは、患者１４の体外の既知の位置、例えば、患者の胴体の下に配置された磁場発生器３６を含む。一実施形態において、コンソール１８は、本明細書に記載される技術の実行を支援する。
【００２５】
いくつかの実施形態では、コンソール１８は、ケーブル３８を介して磁場発生器３６を駆動するように構成された駆動回路２１を含む。遠位先端１３が医師１６によって心臓４０の中へ誘導されると、遠位先端１３の磁気位置センサは、磁場発生器３６によって生成された、感知した外部磁場に応答して位置信号を生成し、それによって、プロセッサ２０が心臓４０の空洞内の遠位先端１３の位置を識別することを可能にする。
【００２６】
磁気位置センサは、カテーテル近位端でプロセッサ２０に結合されたインターフェース回路に接続されている。一実施形態において、遠位先端１３の位置は、ユーザディスプレイ３４に表示される心臓４０の画像４２上に示される。いくつかの実施形態では、画像４２は、コンピュータ断層撮影（ＣＴ）システムなどの解剖学的撮像システム又は任意のその他の好適な撮像技術を用いて取得される。
【００２７】
この磁場に基づく位置感知方法は、例えば、Ｂｉｏｓｅｎｓｅ  Ｗｅｂｓｔｅｒ  Ｉｎｃ．（Ｄｉａｍｏｎｄ  Ｂａｒ，Ｃａｌｉｆ．）が製造するＣＡＲＴＯ（商標）システムにおいて実行されており、その詳細は、米国特許第５，３９１，１９９号、同第６，６９０，９６３号、同第６，４８４，１１８号、同第６，２３９，７２４号、同第６，６１８，６１２号、及び同第６，３３２，０８９号、国際公開第９６／０５７６８号、並びに米国特許出願公開第２００２／００６５４５５（Ａ１）号、同第２００３／０１２０１５０（Ａ１）号及び同第２００４／００６８１７８（Ａ１）号に詳細に記載されており、それらの開示は全て参照により本明細書に組み込まれる。
【００２８】
上述のように、システム１０は、磁場に基づくシステムの代替的な位置追跡システムとして機能することができるＡＣＬシステムを含む。いくつかの実施形態では、ＡＣＬシステムは、例えば、患者１４の皮膚に付着するパッチ２９を介して患者１４の身体に結合される複数の電極２８を備える。図１の例では、システム１０は、６つの電極を含み、これらのうち、電極２８ａ、２８ｂ、及び２８ｃは、患者１４の前方（例えば、胸部）に結合され、電極２８ｄ、２８ｅ、及び２８ｆは、患者１４の後方（例えば、胴体）に結合される。図１に示すように、電極は、次のように、対で配置される：電極２８ａ及び２８ｄは、患者１４の右側で互いに対向しており、電極２８ｃ及び２８ｆは、患者１４の左側で互いに対向しており、電極２８ｂ及び２８ｅは、患者１４の胸部及び胴体の上部で互いに対向している。
【００２９】
別の実施形態では、システム１０は、任意の好適な配置で患者の皮膚に結合された、任意の好適な数の電極を含むことができる。
【００３０】
電極２８は、典型的にはケーブル３２を介してプロセッサ２０に接続され、当該プロセッサはインピーダンスの値などの情報を電極から受信し、この情報に基づいて、以下に記載される技術を用いて心臓４０内における遠位先端１３の位置を推定するように構成されている。
【００３１】
いくつかの実施形態では、システム１０は、限定するものではないが、心電図（ＥＣＧ）システム（図示せず）及び／又は電圧ベースのナビゲーションシステム（図示せず）などの、任意の他の好適な感知システム及び／又はナビゲーションシステムを備えていてもよく、遠位先端１３に結合されたセンサが、患者胴体に結合された外部電極間に印加される電圧勾配を測定する。
【００３２】
ディスプレイ３４は、典型的には、関連する情報を医師１６に表示することによって切除処置の動作を容易にするように構成されている。例えば、プロセッサ２０は、例えば、心臓４０の画像４２上にカテーテル１２の遠位先端１３を表すアイコンを重ね合わせることによって、画像４２内に遠位先端１３の場所及び向きを表示するように、前述の追跡システムの座標系と（画像４２を取得した）ＣＴステムの座標系との間に登録することができる。
【００３３】
上述したように、電極２８は典型的には、インピーダンスに基づく追跡技術、例えば、その開示が参照により本明細書に組み込まれる米国特許第８，４５６，１８２号及び米国特許出願公開第２０１５／０１４１７９８号に記載の技術を使用して、患者１４の身体内のカテーテル１２を誘導するために使用される。このような技術は、遠位先端１３と電極２８ａ〜２８ｆのそれぞれとの間で測定された異なるインピーダンスに応答して遠位先端１３の場所及び向きを推定することを伴う。上述したように、遠位先端１３の推定場所を、ディスプレイ３４上に好適なアイコンとして医師に表示することができる。この表示に基づいて、医師１６は、カテーテル１２の遠位先端１３を心臓４０内の１つ以上の所望の場所に誘導することができる。
【００３４】
いくつかの実施形態では、典型的には、遠位先端１３に既知の振幅の電気信号を印加することによって、任意の所与の時間に遠位先端１３の位置及び配向が推定され、結果として得られる電圧及び／又は電流が各対の電極２８で測定される。代替的な実施形態では、電気信号は電極２８によって印加されてもよく、結果として得られる電気値は遠位先端１３によって測定される。
【００３５】
いくつかの実施形態では、これらの印加された電気信号により、それぞれがカテーテルに対して異なる位置に設置された電極２８の対（例えば、電極２８ａ及び２８ｄの対、電極２８ｃ及び２８ｆの対、並びに電極２８ｂ及び２８ｅの対）は、遠位先端１３と電極２８の対のそれぞれとの間の異なる電気的に妨害する組織の量（したがって異なるインピーダンス度）に起因して、異なるそれぞれの電気値を呈する。
【００３６】
いくつかの実施形態では、これらの測定された電気値は、ケーブル３２及び図２で以下に記載する集積回路（ＩＣ）を介してプロセッサ２０に送信され、このプロセッサ２０は、これらの値を用いて、（その位置が分かっている）電極２８に対する遠位先端１３の相対的な場所及び向きを推定する。あるいは、カテーテルの遠位先端と電極との間に電圧が生成されてもよく、これらの電極を通って流れる、結果として得られた電流を測定し、遠位先端１３の場所及び向きを推定するために使用してもよい。
【００３７】
上述したように、医師１６は、遠位先端１３を誘導して心臓４０内の複数の場所を調査する。いくつかの実施形態では、プロセッサ２０は、調査した場所のそれぞれでカテーテル１２から２組の値を受信するように構成されている。第１の組は、磁気位置追跡システムからの位置座標を含み、第２の組は、ＡＣＬシステムからの１つ以上のそれぞれの電気値（例えば、電極２８の各対からの電流又はインピーダンスの値）を含む。
【００３８】
いくつかの実施形態では、プロセッサ２０は、遠位先端１３によって調査されたそれぞれの位置で測定された位置及び電気値をそれぞれが含むデータ点の組を構築するように構成されている。いくつかの実施形態では、電気値は、遠位先端１３の位置に関連し得る。他の実施形態では、遠位先端１３に結合された電極は、患者の心臓４０の組織の電位（ＥＰ）マッピングに関連する信号を、調査した場所の一部又は全てで取得してもよい。
【００３９】
このデータ点の組は、選択された複数の電気値をそれぞれの位置に位置づけ、本明細書では、「マッピング」と称される。一実施形態において、マッピングは完了すると、測定された電気値を心臓４０における位置測定値に変換するために、遠位先端１３及び／又は電極２８によって取得された電気値に（例えば切除中に）適用される。いくつかの実施形態では、患者１４の選択された呼吸動作（例えば、全吸気動作後、全呼気動作後、又は吸気動作と呼気動作との中間）のために、別個のマッピングが構築されてもよい。別の実施形態では、電極の各対に対して別個のマッピングが構築される。
【００４０】
本開示及び請求項の文脈において、用語「位置関連信号」及び「位置信号」は、互換的に使用され、上述の位置センサによって取得された信号を指す。同様に、用語「ＥＰ関連信号」及び「ＥＰ信号」は互換的に使用され、限定するものではないが、遠位先端１３及びパッチ２９に結合された電圧電極、電流電極、インピーダンス、及びＥＣＧ感知電極などの様々な種類の電極を使用して心臓４０から取得される電位図（ＥＧＭ）及びＥＣＧ信号を指す。
【００４１】
位置信号及びＥＰ信号は、例えばケーブル３２及びカテーテル１２を介してコンソール１８に経路指定されることに留意されたい。いくつかの実施形態では、ケーブル３２及びカテーテル１２の各々は、センサからコンソール１８に信号を渡すように構成された複数の電気リード線を含む。典型的には、各電気リード線は、数ピコファラッド（ｐＦ）のオーダーの寄生容量を有する。一部の場合には、システム１０などの多重化医療システムは、１００本を超える電気リード線を含んでもよく、それにより、リード線の累積総静電容量がシステム性能全体を劣化させる可能性がある。例えば、寄生容量は、信号歪みを引き起こすローパスフィルタと同様の効果を有する可能性があり、それによって信号の品質及び信頼性が低下する。他の場合には、寄生容量は信号遅延を引き起こし、それによってシステム１０の性能を低下させる可能性がある。
【００４２】
使用されていない接続を能動的に切断することによる信号品質の改善
図２は、本発明の実施形態による、コンソール１８の集積回路（ＩＣ）５０の一部を概略的に図示する、ブロック図である。
【００４３】
いくつかの実施形態では、ＩＣ５０は、複数の入力ポート５４Ａ〜５４Ｇ及び出力ポート５６を含むマルチプレクサ（ＭＵＸ）５５を含む。いくつかの実施形態では、ＭＵＸ５５は、入力ポート５４Ａ〜５４Ｇを介して、複数の入力信号を受信するように構成されている。ＭＵＸ５５は、受信した入力信号のうちの選択された信号を、出力ポート５６を介して出力するように更に構成されている。
【００４４】
図２の実施例では、信号は、上述の図１に記載された位置信号及びＥＰ信号などのアナログ信号を含む。選択された信号は、出力ポート５６を介してアナログ・デジタル（Ａ／Ｄ）変換器６２に出力され、これは、選択されたアナログ信号をデジタル信号に変換し、デジタル信号をプロセッサ２０に送信するように構成されている。典型的な適用例では、プロセッサは、異なる時間間隔で、異なるそれぞれのデジタル化された入力信号を受信する。例えば、論理回路は、逐次的な循環順序で入力信号を走査するように構成されてもよい。このような時分割多重化（ＴＤＭ）を使用して、単一のプロセッサは、複数の異なる入力信号を処理することができる。
【００４５】
いくつかの実施形態では、ＩＣ５０は、電気線５８を介して入力ポート５４Ａ〜５４Ｇにそれぞれ結合されたスイッチ６６Ａ〜６６Ｇを含むスイッチングアレイ６４を含む。図２の実施例では、入力信号は、例えば、上述の図１に記載されたケーブル３２及びカテーテル１２の電気リード線を表すリード線５２を介して受信される。各入力リード線５２は、それぞれのスイッチ（例えば、スイッチ６６Ａ）及びそれぞれの入力ポート（例えば、ポート５４Ａ）に対応することに留意されたい。実際には、ＩＣ５０は、１００個を超えるスイッチと、典型的には同じ数の入力ポートとを含んでもよい。上述の図１に記載されたように、リード線５２の総静電容量は、数百ｐＦ以上のオーダーであってもよい。
【００４６】
いくつかの実施形態では、スイッチングアレイ６４は、入力信号を受信し、各入力信号をそれぞれの入力ポートに選択的に接続し、又は切断するように構成される。使用されていない入力信号を切断することにより、ＭＵＸ５５の入力における総静電容量は、有意に（例えば、１００倍）低減する。
【００４７】
いくつかの実施形態では、ＩＣ５０は、スイッチングアレイ６４及びＭＵＸ５５へ電気線５８を介して電気的に結合される論理回路６０を更に含む。論理回路６０は、ＭＵＸ５５によって現在選択されている単一の信号を接続し、他の電気リード線から受信された他の全ての入力信号を切断するようにスイッチングアレイ６４を制御するように構成されている。
【００４８】
代替実施形態では、論理回路６０は、ＭＵＸ５５によって選択された信号に加えて、１つ以上の信号を接続するようにスイッチングアレイ６４を制御するように構成されている。
【００４９】
図２の実施例では、所与の時間期間において、論理回路６０は、入力信号をＭＵＸ５５のポート５４Ｂに接続するようにスイッチ６６Ｂを制御する。一実施形態では、ＭＵＸ５５は、破線７０によって示されるように、この単一の入力を出力ポート５６を介してＡ／Ｄデバイス６２に出力する。所与の時間期間において、アレイ６４の他の全てのスイッチは、それぞれの入力信号がＭＵＸに送信されないように、ＭＵＸ５５の入力ポート５４からリード線５２を切断することに留意されたい。
【００５０】
いくつかの実施形態では、論理回路６０は、ＭＵＸ５５及びスイッチングアレイ６４の両方を制御するように構成されている。これらの実施形態では、回路６０は、例えば、入力ポート５４Ｂによって受信された入力信号を選択するように、かつ、スイッチ６６Ｂによって受信された入力信号のみを接続するようにスイッチングアレイ６４を同期制御するように、ＭＵＸ５５を制御する。論理回路は、各入力ポート５４の選択と、それぞれのスイッチ６６の接続との間で同様に同期する。
【００５１】
他の実施形態では、回路６０は、入力ポート５４Ｂによって受信された入力信号に加えて、１つ以上の（典型的には少数の）入力信号を接続するように、スイッチングアレイ６４を制御する。例えば、ＭＵＸ５５が入力ポート５４Ｂによって受信された入力信号のみを選択したとしても、回路５０は、スイッチ６６Ｂによって受信された入力信号、並びにスイッチ６６Ａによって受信された入力信号を接続するように、スイッチングアレイ６４を制御することができる。
【００５２】
代替実施形態では、論理回路６０は、スイッチングアレイ６４を制御するが、ＭＵＸが選択すべき信号を選択しない。このような実施形態では、論理回路６０は、例えば、コントローラ（図示せず）から、入力ポート５４Ｂを選択することを示す制御信号を受信する。これらの実施形態では、回路６０は、入力をアレイ６４に送信して、スイッチ６６Ｂによって受信された入力信号のみを接続するように構成されている。制御信号と入力信号との間の同期は、回路６０又はコントローラによって実行されてもよい。
【００５３】
任意の所与の時間に、単一のリード線５２のみとＭＵＸ５５との間の電気接続を可能にすることにより、ＭＵＸ５５が経験する望ましくない静電容量は、数百ｐＦからわずか数ｐＦにまで低減される。
【００５４】
いくつかの実施形態では、ＭＵＸ５５の入力における望ましくない静電容量のレベルの低減は、Ａ／Ｄ変換器６２に提供される出力信号の品質及び信頼性を改善し、システムの性能全体を改善する。
【００５５】
図２に示されたＩＣ５０の構成は、あくまで概念を明確化する目的で選ばれた例示的な構成である。代替的な実施形態では、他の任意の好適な構成もまた用いることができる。ＩＣ５０の異なる要素は、特定用途向け集積回路（ＡＳＩＣ）又はフィールドプログラマブルゲートアレイ（ＦＰＧＡ）内など、任意の好適なハードウェアを用いて、実施することができる。いくつかの実施形態では、ＩＣ５０の機能の一部又は全ては、ソフトウェアを使用して、又はハードウェア要素とソフトウェア要素との組み合わせを使用して、実施され得る。いくつかの実施形態では、ＩＣ５０は、任意の好適な揮発性メモリ又は不揮発性メモリ（図示せず）、例えばランダムアクセスメモリ（ＲＡＭ）又はフラッシュメモリを更に含むことができる。
【００５６】
本明細書に記載される実施形態は、主として心臓学システムに対処するが、本明細書に記載される方法及びシステムはまた、複数の信号が単一の出力又は少数の出力へと多重化される任意のシステムにおいてなど、他の適用例で使用することもできる。
【００５７】
したがって、上に述べた実施形態は、例として引用したものであり、また本発明は、上で具体的に示し説明したものに限定されないことが理解されよう。むしろ、本発明の範囲は、上述の様々な特徴の組み合わせ及びその部分的な組み合わせの両方、並びに上述の説明を読むことで当業者により想到されるであろう、かつ従来技術において開示されていない、それらの変形及び修正を含むものである。参照により本特許出願に組み込まれる文献は、任意の用語が、本明細書において明示的又は暗示的になされた定義と矛盾するようにこれらの組み込まれた文献において定義されていない限り、本明細書における定義のみを考慮するものとする点を除き、本出願の必須部分とみなすものとする。
【００５８】
〔実施の態様〕
（１）  複数の入力ポート及び出力ポートを備え、前記入力ポートを介して複数の入力信号を受信し、前記出力ポートを介して、前記入力信号のうちの選択された信号を出力するように構成されている、マルチプレクサ（ＭＵＸ）と、
前記ＭＵＸの前記入力ポートに結合され、前記入力信号を受信し、各入力信号とそれぞれの入力ポートとの間を接続又は切断するように構成されている、スイッチングアレイと、
前記スイッチングアレイ及び前記ＭＵＸに電気的に結合されており、前記ＭＵＸが出力している少なくとも前記選択された信号を接続し、前記少なくとも選択された信号以外の全ての前記入力信号を切断するように前記スイッチングアレイを制御するように構成されている、論理回路と、
を備える、電子デバイス。
（２）  前記スイッチングアレイは、複数のそれぞれの電気リード線を介して前記複数の入力信号を受信するように構成されており、前記電気リード線のそれぞれは、前記ＭＵＸに接続されたときにそれぞれの寄生容量に寄与し、前記論理回路は、前記少なくとも選択された信号以外の前記入力信号を切断することによって、前記ＭＵＸにおける総寄生容量を低減するように構成されている、実施態様１に記載の電子デバイス。
（３）  前記電子デバイスは、特定用途向けＩＣ（ＡＳＩＣ）又はフィールドプログラマブルゲートアレイ（ＦＰＧＡ）を備える、実施態様１に記載の電子デバイス。
（４）  前記入力信号のそれぞれは、心電図（ＥＣＧ）信号、電位図（ＥＧＭ）信号、及び位置信号からなるリストから選択される信号を含む、実施態様１に記載の電子デバイス。
（５）  前記入力信号はアナログ信号を含み、前記ＭＵＸは、少なくとも前記選択された信号をアナログ・デジタル変換器に出力するように構成されている、実施態様１に記載の電子デバイス。
【００５９】
（６）  前記論理回路は、前記複数の入力信号のうちのどれを前記ＭＵＸが所与の時間に選択するかを制御するように構成されている、実施態様１に記載の電子デバイス。
（７）  （ｉ）複数の入力信号を受信するための複数の入力ポート及び前記入力信号のうちの選択された信号を出力するための出力ポートを備えるマルチプレクサ（ＭＵＸ）と、（ｉｉ）前記ＭＵＸの前記入力ポートに結合されたスイッチングアレイと、を備える電子デバイスにおいて、
前記入力ポートのうちのそれぞれ１つ以上に少なくとも前記選択された信号を接続し、前記少なくとも選択された信号以外の全ての前記入力信号を切断するように前記スイッチングアレイを制御することと、
前記それぞれの入力ポートを介して少なくとも前記選択された信号を受信し、前記出力ポートを介して前記選択された信号を出力することと、
を含む、方法。
（８）  前記スイッチングアレイを制御することは、複数のそれぞれの電気リード線を介して前記複数の入力信号を受信することを含み、前記電気リード線のそれぞれは、前記ＭＵＸに接続されたときにそれぞれの寄生容量に寄与し、前記少なくとも選択された信号以外の全ての前記入力信号を切断することは、前記ＭＵＸにおける総寄生容量を低減することを含む、実施態様７に記載の方法。
（９）  前記入力信号のそれぞれは、心電図（ＥＣＧ）信号、電位図（ＥＧＭ）信号、及び位置信号からなるリストから選択される信号を含む、実施態様７に記載の方法。
（１０）  前記入力信号はアナログ信号を含み、前記選択された信号を出力することは、前記選択された信号をアナログ・デジタル変換器に出力することを含む、実施態様７に記載の方法。
【００６０】
（１１）  前記スイッチングアレイを制御することは、前記複数の入力信号のうちのどれを前記ＭＵＸが所与の時間に選択するかを制御することを含む、実施態様７に記載の方法。
【図１】
2020005255.tif 000003
【図２】
2020005255.tif 000004
【外国語明細書】
2020005255000001.pdf